(57)【要約】【課題】  データを記録メディアに転送する時間の短縮が可能で、容易にデータ管理を行うことのでき、エネルギーロスの少ないデータ記録装置を提供する。【解決手段】  それぞれの記録メディア（３９ａ、３９ｂ）の装填を検出するメディア検出手段と、装填された上記記録メディアに記録させるデータとその記録アドレスとを出力するアドレス・データ信号出力手段（４０）と、複数の記録メディア毎に設けられ、アドレス・データ信号出力手段からのデータ、記録アドレスの内少なくとも１つを記憶保持して記録メディアに出力するラッチ手段（１４１ａ、１４１ｂ）と、ラッチ手段の動作を制御する制御手段（４０）とを備え、制御手段は、記録メディア検出手段が検出する装填された記録メディアの枚数に応じてラッチ手段に対する制御を変更するデータ記録装置である。【選択図】    図１６
2005311439.tif 000002
【特許請求の範囲】
【請求項１】
着脱可能な複数の記録メディアを同時に装填できるデータ記録装置において、
上記それぞれの記録メディアの装填を検出するメディア検出手段と、
装填された上記記録メディアに記録させるデータとその記録アドレスとを出力するアドレス・データ信号出力手段と、
上記複数の記録メディア毎に設けられ、上記アドレス・データ信号出力手段からの上記データ、記録アドレスの内少なくとも１つを記憶保持して上記記録メディアに出力するラッチ手段と、
上記ラッチ手段の動作を制御する制御手段とを備え、
上記制御手段は、上記記録メディア検出手段が検出する装填された上記記録メディアの枚数に応じて上記ラッチ手段に対する制御を変更することを特徴とするデータ記録装置。
【請求項２】
上記制御手段は、
上記記録メディアが複数装填されている場合には上記ラッチ回路を作動させ、上記記録メディアが一つ装填されている場合には上記ラッチ回路を非作動とするとともに上記アドレス・データ信号出力手段からの上記データ、記録アドレス信号を上記ラッチ手段を介さずに上記記録メディアに出力すること
を特徴とする請求項１に記載のデータ記録装置。
【請求項３】
上記制御手段は、
装填されている上記記録メディアに対応する上記ラッチ回路を作動させ、装填されていない上記記録メディアに対応する上記ラッチ回路を非作動とすること
を特徴とする請求項１に記載のデータ記録装置。
【請求項４】
上記データ記録装置はデジタルカメラであって、上記データは撮像素子によって撮像された被写体像データであることを特徴とする請求項１乃至３の内いずれか１項に記載のデータ記録装置。
【発明の詳細な説明】
【技術分野】
【０００１】
本発明は、複数の記録メディアに対してデータを効率的に転送する技術に関する。
【背景技術】
【０００２】
パーソナルコンピュータなどではデータを保存する際に、そのデータを複数のＨＤＤ（ハードディスクドライブ装置）に分割して保存することにより、データの書込み時間を短縮してシステムのパフォーマンスを高める技術が採用されている。
【０００３】
このデータ転送時間の効率化技術はデジタルカメラについてもニーズが高く、例えば、２枚のメモリカードを装着することが可能なデジタルカメラについて、それぞれのメモリカードがどちらのスロットに装着されているかをユーザに意識させること無く、装着されたメモリカードの管理をユーザが容易に行うことができるデジタルカメラが提案されている（特許文献１参照）
【特許文献１】特開２００１−１６９２２５号公報
【発明の開示】
【発明が解決しようとする課題】
【０００４】
しかし、特許文献１に記載の技術では、その複数の記録メディアをデジタルカメラから取り外すと、その記録メディア同士は何らの関連性ももたずにバラバラになってしまう。複数の記録メディアを全体として１つの記録メディアとして取り扱う技術思想からすれば、撮影時における画像のデータ転送時間の効率化のみでなく、撮影後の画像データの管理も複数の記録メディア全体として容易に実施できることが求められる。さらに、撮影時における画像データ転送時間の効率化に関しても、更なる転送時間の効率化を図るための種々の転送方式の開発が求められる。さらにこれらの方式をエネルギーロス少なく実現できる技術が望まれる。
【０００５】
しかしながら、特許文献１にはこれらの課題の解決を図るための記載あるいは示唆する記載はされていない。
【０００６】
本発明は、かかる事情に鑑みてなされたものであって、データを記録メディアに転送する時間の短縮が可能で、容易にデータ管理を行うことのでき、エネルギーロスの少ないデータ記録装置を提供することを目的とする。
【課題を解決するための手段】
【０００７】
本発明に係る請求項１に記載のデータ記録装置は、着脱可能な複数の記録メディアを同時に装填できるデータ記録装置において、上記それぞれの記録メディアの装填を検出するメディア検出手段と、装填された上記記録メディアに記録させるデータとその記録アドレスとを出力するアドレス・データ信号出力手段と、上記複数の記録メディア毎に設けられ、上記アドレス・データ信号出力手段からの上記データ、記録アドレスの内少なくとも１つを記憶保持して上記記録メディアに出力するラッチ手段と、上記ラッチ手段の動作を制御する制御手段とを備え、上記制御手段は、上記記録メディア検出手段が検出する装填された上記記録メディアの枚数に応じて上記ラッチ手段に対する制御を変更する。
【０００８】
また本発明に係る請求項２に記載のデータ記録装置は、上記記載の発明であるデータ記録装置において、上記制御手段は、上記記録メディアが複数装填されている場合には上記ラッチ回路を作動させ、上記記録メディアが一つ装填されている場合には上記ラッチ回路を非作動とするとともに上記アドレス・データ信号出力手段からの上記データ、記録アドレス信号を上記ラッチ手段を介さずに上記記録メディアに出力する。
【０００９】
また本発明に係る請求項３に記載のデータ記録装置は、上記記載の発明であるデータ記録装置において、上記制御手段は、装填されている上記記録メディアに対応する上記ラッチ回路を作動させ、装填されていない上記記録メディアに対応する上記ラッチ回路を非作動とする。
【００１０】
また本発明に係る請求項４に記載のデータ記録装置は、上記記載の発明であるデータ記録装置において、上記データ記録装置はデジタルカメラであって、上記データは撮像素子によって撮像された被写体像データである。
【発明の効果】
【００１１】
本発明によれば、データを記録メディアに転送する時間の短縮が可能で、容易にデータ管理をエネルギーロスが少なく行うことができる。
【発明を実施するための最良の形態】
【００１２】
［第１の実施の形態］
図１は、本発明の第１の実施の形態のデータ記録装置が適用されるデジタルカメラを示す斜視図である。
【００１３】
本デジタルカメラは、ボディユニット１００、レンズユニット１２及びストロボユニット（不図示）８０で構成されている。
【００１４】
そして、ボデイユニット１００にはカメラ操作用ＳＷ５２、動作表示用ＬＣＤ５７、ストロボ取り付け用シュー８７、グリップ部１１０が備えられている。
【００１５】
カメラ操作用ＳＷ５２には、合焦、撮影動作を開始するためのレリーズボタン５２ａ、シャッタスピード・絞りを設定するための設定ダイヤル５２ｂ、露出モード（絞り優先、シャッタ優先、マニュアル等）を設定するためのモードダイヤル５２ｃ、電源ＯＮ・ＯＦＦ用のパワースイッチ５２ｄが設けられている。
【００１６】
また撮影者がボディユニット１００を把持するためのグリップ部１１０には、後述するメモリカード１２０、電源用電池５４などを収納する機構が設けられている。
【００１７】
図２は、グリップ部１１０のカードカバー１１１を開いて斜め後方から見た斜視図である。グリップ部１１０内には、メモリカード１２０を記録メディア（後述）スロットに挿入するための挿入部１１５ａ、１１５ｂ、メモリカード１２０を挿入部１１５ａ、１１５ｂから取り出すための取り出しレバー１１６ａ、１１６ｂ、及びメモリカード１２０が挿入されている状態かどうかを検出するためのパック状態検出ＳＷ１１８が設けられている。
【００１８】
次に、本デジタルカメラのシステム構成について図３を参照しつつ説明する。
【００１９】
このデジタルカメラのシステムは、カメラ本体としてのボディユニット１００と、アクセサリ装置（以下「アクセサリ」と略称する）として例えば、交換レンズとしてのレンズユニット（即ちレンズ鏡筒）１２と、撮影した画像データを記録しておく記録メディア３９、および外付けのストロボユニット８０などから構成されている。
【００２０】
ユーザが所望するレンズユニット１２は、ボディユニット１００の前面に設けられたレンズマウント（不図示）を介して着脱自在に設定されている。
【００２１】
記録メディア３９は、各種のメモリカードや外付けのＨＤＤ等の外部記録媒体であり、複数の記録メディア３９ａ、３９ｂが用意され、それぞれ通信コネクタ３５ａ、３５ｂを介してカメラ本体と通信可能かつ交換可能に装着される。
【００２２】
またストロボユニット８０は、閃光電球８１、ＤＣ／ＤＣコンバータ８２、ストロボ制御マイクロコンピュータ８３および電池８４から成り、ストロボ通信コネクタ８５を介してカメラ本体と通信可能に装着できる。
【００２３】
レンズユニット１２の制御はレンズ制御用マイクロコンピュータ（以下”Ｌｕｃｏｍ”と称する）５が行う。ボディユニット１００の制御はボディ制御用マイクロコンピュータ（以下“Ｂｕｃｏｍ”と称する）５０が行う。尚、これらＬｕｃｏｍ５とＢｕｃｏｍ５０とは、合体時において通信コネクタ６を介して通信可能に電気的接続がなされる。そしてカメラシステムとしてＬｕｃｏｍ５がＢｕｃｏｍ５０に従属的に協働しながら稼動するようになっている。
【００２４】
レンズユニット１２内には撮影レンズ１２ａと絞り３が設けられている。撮影レンズ１２ａはレンズ駆動機構２内に在る図示しないＤＣモータによって駆動される。絞り３は絞り駆動機構４内に在る図示しないステッピングモータによって駆動される。Ｌｕｃｏｍ５はＢｕｃｏｍ５０の指令に従ってこれら各モータを制御する。
【００２５】
ボディユニット１００内には次の構成部材が図示のように配設されている。例えば、光学系としての一眼レフ方式の構成部材（ペンタプリズム１３ａ、クイックリターンミラー１３ｂ、接眼レンズ１３ｃ、サブミラー１３ｄ）と、シャッタ１４と、上記サブミラー１３ｄからの反射光束を受けて自動測距する為のＡＦセンサユニット３０ａが設けられている。そして、フォーカルプレーン式のシャッタ１４の後段には、光学系を通過した被写体像を光電変換するためのＣＣＤ２７が防塵フィルタ２１を介して設けられている。
【００２６】
そして、防塵フィルタ２１には圧電素子２２が設けられ、圧電素子２２は防塵フィルタ駆動回路４８によって振動して防塵フィルタ２１に付着した塵を除去する。なお、圧電素子２２は、温度によってその特性が変化するため、温度測定回路３３で実測した温度に基づいてＢｕｃｏｍ５０が防塵フィルタ駆動回路４８に適切な駆動信号を供給する。
【００２７】
また、このＡＦセンサユニット３０ａを駆動制御するＡＦセンサ駆動回路３０ｂと、上記クイックリターンミラー１３ｂを駆動制御するミラー駆動機構１８と、上記シャッタ１４の先幕と後幕を駆動するシャッタチャージ機構１９、先幕と後幕の動きを制御するシャッタ制御回路３１と、上記ペンタプリズム１３ａからの光束に基づき測光処理する測光回路３２が設けられている。
【００２８】
そして、シャッタチャージ機構１９とシャッタ制御回路３１は、Ｂｕｃｏｍ５０との間でシャッタの開閉動作を制御する信号の授受を行う。
【００２９】
このカメラシステムにはまた、ＣＣＤ２７に接続したＣＣＤインターフェイス回路３４、液晶モニタ３６、記憶領域として設けられたＳＤＲＡＭ３８ａ、Ｆｌａｓｈ Ｍｅｍｏｒｙ３８ｂおよび記録メディア３９ａ、３９ｂなどを利用して画像処理する画像処理コントローラ４０とが設けられ、電子撮像機能と共に電子記録表示機能を提供できるように構成されている。
【００３０】
記録メディア３９ａ、３９ｂは、それぞれ通信コネクタ３５ａ、３５ｂを介して画像処理コントローラ４０と接続され撮像データの授受を行う。また、この記録メディア３９ａ、３９ｂにメモリカード１２０がパックとして挿入されているかどうかを検出するパック状態検出ＳＷ１１８がＢｕｃｏｍ５０と接続されている。
【００３１】
Ｂｕｃｏｍ５０には、当該カメラの動作状態を表示出力によってユーザへ告知するための動作表示用ＬＣＤ５７と、カメラ操作ＳＷ５２とが設けられている。上記カメラ操作ＳＷ５２は、例えばレリーズボタン５２ａ、モードダイヤル５２ｃおよびパワースイッチ５２ｄなど、当該カメラを操作するために必要な操作釦を含むスイッチ群である。さらに、電源としての電池５４と、この電源の電圧を当該カメラシステムの各回路ユニットが必要とする電圧に変換して供給する電源回路５３ａ、電源検出回路５３ｂが設けられている。
【００３２】
上述した如くに構成されたカメラシステムの各部は次のように稼動する。
【００３３】
ミラー駆動機構１８は、クイックリターンミラー１３ｂをＵＰ位置とＤＯＷＮ位置へ駆動するための機構であり、このクイックリターンミラー１３ｂがＤＯＷＮ位置にある時、撮影レンズ１２ａからの光束はＡＦセンサユニット３０ａ側とペンタプリズム１３ａ側へと分割されて導かれる。
【００３４】
ＡＦセンサユニット３０ａ内のＡＦセンサからの出力は、ＡＦセンサ駆動回路３０ｂを介してＢｕｃｏｍ５０へ送信されて周知の測距処理が行われる。
【００３５】
また、ペンタプリズム１３ａに隣接する接眼レンズ１３ｃからはユーザが被写体を目視できる一方、このペンタプリズム１３ａを通過した光束の一部は測光回路３２内のホトセンサ（不図示）へ導かれ、ここで検知された光量に基づき周知の測光処理が行われる。
【００３６】
シャッタ制御回路３１は、Ｂｕｃｏｍ５０からシャッタを駆動制御するための信号を受け、その信号に基づいてシャッタ１４の動作を制御すると共に、所定のタイミングで、Ｂｕｃｏｍ１５０にストロボを発光させるためのストロボ同調信号を出力する。Ｂｕｃｏｍ５０は、このストロボ同調信号に基づいてストロボユニット８０に通信により発光指令信号を出力する。
【００３７】
画像処理コントローラ４０は、Ｂｕｃｏｍ５０の指令に従ってＣＣＤインターフェイス回路３４を制御してＣＣＤ２７から画像データを取り込む。この画像データは画像処理コントローラ４０でビデオ信号に変換され、液晶モニタ３６にて出力表示される。ユーザはこの液晶モニタ３６の表示画像から、撮影した画像イメージを確認できる。
【００３８】
ＳＤＲＡＭ３８ａは画像データの一時的保管用メモリであり、画像データが変換される際のワークエリアなどに使用される。またこの画像データはＪＰＥＧデータに変換された後には記録メディア３９ａ、３９ｂに保存するように設定されている。そして、連写モードで撮影した画像データを保存する際には、画像処理コントローラ４０が効率的に画像データを保存するようにデータ転送動作を制御する。
【００３９】
図４は、メモリカード１２０ａ、１２０ｂをアダプタ１２５に装備する方法を示す図である。
【００４０】
結束部材であるアダプタ１２５に設けられた挿入部１２６ａ、１２６ｂにそれぞれメモリカード１２０ａ、１２０ｂを挿入し、固定ビス１２７ａ、１２７ｂを用いて固定する。このようにして、装備された複数のメモリカード１０２をアダプタ１２５と一体として、上述のボディユニット１００の挿入部１１５ａ、１１５ｂに装着する。
【００４１】
この際、アダプタ１２５に設けられている突起部１２８が、図２に示すパック状態検出ＳＷ１１８を押すことによって、アダプタ１２５が装着されていることが検知される。
【００４２】
なお、アダプタ１２５に装備できるメモリカードは２枚に限られず、複数枚のメモリカードが装備できるものであっても良い。また、固定ビスはアダプタ１２５の側面から取り付けるように構成してもよい。
【００４３】
さらに、メモリカード１２０ａ、１２０ｂの固定は、固定ビスを用いずに、摩擦によってアダプタ１２５に固定するものでも良く、また挟み込み機構を用いてアダプタ１２５に固定するものであっても良い。更に、一体成形されることも考えられる。
【００４４】
図５は、メモリカード１２０ａ、１２０ｂを装備したアダプタ１２５の背面を示す図である。アダプタ１２５の背面には、ラベルが設けられ、メモリカード１２０ａ、１２０ｂに保存されている画像データについての情報（例えば、表題、テーマ、撮影日など）を記載することができる。これによって、データの整理が容易になり、また内容の確認が容易になる。
【００４５】
図６は、メモリカード１２０ａ、１２０ｂに記録された画像データを示す図である。この図に示すように、一般に画像データは複数のメモリカードに分散して記録され、順序付けられて記録されない。この結果、それぞれのメモリカード１２０ａ、１２０ｂ単体でデータを管理することは困難を伴う場合が多い。特に、メモリカード１２０ａ、１２０ｂが分離して他のメモリカードと混在して保管されている場合には、同じグループに属するメモリカードを抽出することは困難である。
【００４６】
本実施の形態では、このアダプタ１２５とメモリカード１２０ａ、１２０ｂを一体として保管し、取り扱うため、容易にデータを管理することができる。また、ラベルを設けているため、内容の把握が簡単になり、データの整理が容易になる。
【００４７】
図７は、メモリカード１２０ａ、１２０ｂに記録されたデータを、ＰＣなどの他の機器で読取るためのメモリカードリーダ１３５を示す図である。
【００４８】
メモリカードリーダ１３５には、メモリカード１２０ａ、１２０ｂを挿入するための挿入部１３６ａ、１３６ｂ、及びメモリカード１２０ａ、１２０ｂがアダプタ１２５とともに挿入されている状態かどうかを検出するためのパック状態検出ＳＷ１３８が設けられている。
【００４９】
そして、メモリカード１２０ａ、１２０ｂのデータは接続プラグ１３７を介してＰＣ（不図示）に転送され、また逆にＰＣのデータは接続プラグ１３７を介してメモリカード１２０ａ、１２０ｂに転送される。
【００５０】
図８、図９、図１０、図１１は、デジタルカメラにおける画像データの転送、記録動作を示す概略のフロー図である。この動作は、図３に示すＢｕｃｏｍ５０が統括して制御する。
【００５１】
デジタルカメラの電池が装填されたときは（ステップＳ０１）、内部のデータエリアの初期化が行われる（ステップＳ０２）。具体的には、ＳＤＲＡＭ３８ａ、Ｆｌａｓｈ Ｍｅｍｏｒｙ３８ｂのワークエリアの初期化、通信用のポートの初期化が行われる。
【００５２】
パワースイッチ５２ｄの状態が調べられ、パワースイッチ５２ｄがＯＮのとき（ステップＳ０３  Ｙｅｓ）、即ちデジタルカメラの各部に電源が供給されて動作可能の状態になっているときは、記録メディア３９ａ、３９ｂにメモリカード１２０ａ、１２０ｂが接続されているかどうかを調べる（ステップＳ０４、Ｓ０６）。
【００５３】
メモリカード１２０ａ、１２０ｂが接続されている場合には（ステップＳ０４  Ｙｅｓ、Ｓ０６  Ｙｅｓ）、接続されているメモリカード１２０ａ、１２０ｂのＦＡＴ（File Allocation Table）情報を読込み、空き容量等の情報を取得して記憶する（ステップＳ０５、Ｓ０７）。
【００５４】
次に、パック状態検出ＳＷ１１８の状態を調べる（ステップＳ０８）。即ち、アダプタ１２５に装着されたメモリカード１２０ａ、１２０ｂが記録メディア３９ａ、３９ｂに接続されているかどうかを調べる。パック状態検出ＳＷ１１８がＯＮの場合には、メモリカード１２０ａ、１２０ｂは一対として取り扱うべきとして、内部データであるパック状態フラグを「１」に設定し（ステップＳ０９）、パック状態検出ＳＷ１１８がＯＦＦの場合には、メモリカード１２０ａ、１２０ｂは個別に取り扱うべきとして、内部データであるパック状態フラグを「０」に設定する（ステップＳ１０）。
【００５５】
続いて、接続されているメモリカード１２０ａ、１２０ｂのそれぞれについて、ＦＡＴ情報等に基づいて空き容量があるかどうかを調べる（ステップＳ１１、Ｓ１２）。ここで、現在用いられている画質モードによって更に１枚以上の画像を撮影できる場合に、空き容量があると判断する。空き容量がメモリカード１２０ａ、１２０ｂにない場合は、動作表示用ＬＣＤ５７に、その旨の警告を表示する（ステップＳ１３）。
【００５６】
次に、カメラ操作ＳＷ５２のモードダイヤル５２ｃ、設定ダイヤル５２ｂが操作され露出モード等が新たに設定されたかどうかを調べ（ステップＳ２１）、露出モード等が新たに設定されている場合は、その設定値で撮影を行うための準備処理を実施する（ステップＳ２２）。
【００５７】
そして、レリーズボタン５２ａが操作されるまで待機し（ステップＳ２３  Ｎｏ）、レリーズボタン５２ａの半押しを検出したときに（ステップＳ２４  Ｙｅｓ）、測光を行って露出演算を実行し（ステップＳ２５）、ＡＦセンサユニット３０ａの出力に基づいてレンズユニット１２の撮影レンズ１２ａの駆動を制御して合焦動作を行う（ステップＳ２６、Ｓ２７）。
【００５８】
その後、レリーズボタン５２ａの全押しを検出したときに（ステップＳ２８  Ｙｅｓ）、露出動作を行う（ステップＳ２９）。即ち、クイックリターンミラー１３ｂとサブミラー１３ｄを光路外に移動して、シャッタ１４の先幕、後幕を制御し、光像を所定時間だけＣＣＤ２７上に結像させる（ステップＳ２９）。
【００５９】
そして、ＣＣＤ２７から取り出し画像処理コントローラ４０で画像処理した画像を記録メディア３９ａ、３９ｂに転送して記録させる（ステップＳ３０）。
【００６０】
図１１は、記録メディア３９ａ、３９ｂに画像を記録させる手順を示す概略のフロー図である。
【００６１】
パック状態フラグを調べて、パック状態フラグが「１」の場合（ステップＴ０１  Ｙｅｓ）でメモリカード１２０ａに空き領域がある場合（ステップＴ０２  Ｙｅｓ）は、画像を記録メディア３９ａ、３９ｂに交互に転送する。例えば、撮影した画像のコマ番号が奇数の場合はメモリカード１２０ａに記録し（ステップＴ０３  Ｙｅｓ、Ｔ０４）、撮影した画像のコマ番号が偶数の場合はメモリカード１２０ｂに記録する（ステップＴ０３  Ｎｏ、Ｔ０５）。
【００６２】
このように交互に記録することにより、同時タイミングでメモリカード１２０ａとメモリカード１２０ｂに画像を記録することができるため、データ転送時間を短縮することができる。
【００６３】
しかし、メモリカード１２０ａに空き領域がない場合（ステップＴ０２  Ｎｏ）は、画像を記録メディア３９ａ、３９ｂに交互に転送することはできない。従って、このときは後述するステップＴ１２以降を実行してメモリカード１２０ｂに画像を転送する。
【００６４】
パック状態フラグを調べて、パック状態フラグが「０」の場合（ステップＴ０１  Ｎｏ）は、いずれかのメモリカードに記録する。
【００６５】
そこで、メモリカード１２０ａに空き領域がある場合は、画像を記録メディア３９ａに転送して、メモリカード１２０ａに記録する（ステップＴ１０  Ｙｅｓ、Ｔ１１）。しかし、メモリカード１２０ａに空き領域がない場合は、メモリカード１２０ｂに空き領域があるかどうかを調べる（ステップＴ１２）。
【００６６】
そして、メモリカード１２０ｂに空き領域がある場合は、画像を記録メディア３９ｂに転送して、メモリカード１２０ｂに記録する（ステップＴ１２  Ｙｅｓ、Ｔ１３）。しかし、メモリカード１２０ｂに空き領域がない場合は、画像を記録することができない旨の警告を動作表示用ＬＣＤ５７に表示する（ステップＴ１４）。なお、この空き領域の有無判断は、実際に撮影された画像のサイズに基づいて行われる。
【００６７】
また、図１１に示す記録メディア３９ａ、３９ｂに画像を記録させる処理において、ステップＴ０１〜Ｔ０５の、メモリカード１２０ａ、１２０ｂに画像を振り分けて記録する処理は、デジタルカメラが連写モードで撮影しているときに実行するようにしても良い。連写モードにおいては、撮影画像が短時間で多く発生するため、記録メディア３９ａ、３９ｂに効率的に書き込む必要があるが、連写モードでなければ撮影画像の発生間隔は長いため、記録メディアへの書き込みが問題になることが少ないからである。
【００６８】
以上のようにして図９のステップＳ３９の処理を行った後は、撮影動作を行っていない空き時間において、特定の記録メディアに画像データを移動する。
【００６９】
すなわち、図１０において、レリーズボタン５２ａが操作されておらず、またレリーズボタン５２ａが半押しでもないとき（ステップＳ３５  Ｎｏ、ステップＳ３６  Ｎｏ）は、バッファ上に画像データが残っているかどうかを調べる（ステップＳ３７）。
【００７０】
バッファ上に画像データが残っている場合（ステップＳ３７  Ｙｅｓ）は、いまだ記録メディアへのデータ転送中であるため、このデータ移し替え処理を実行しない。バッファ上に画像データが残っていない場合（ステップＳ３７  Ｎｏ）は、移し替えるべき画像データがメモリカード１２０ｂに残っているかどうかを調べる（ステップＳ３８）。
【００７１】
移し替えるべき画像データがメモリカード１２０ｂに残っていない場合（ステップＳ３８  Ｎｏ）は、すでに移し替えは終了しているため、これ以上の移し替え動作を行わない。
【００７２】
そして、移し替えるべき画像データがメモリカード１２０ｂに残っている場合（ステップＳ３８  Ｙｅｓ）で、メモリカード１２０ａに空き領域が存在する場合（ステップＳ３９  Ｙｅｓ）に、メモリカード１２０ｂの画像を１コマ、メモリカード１２０ａに移し替える（ステップＳ４０）。
【００７３】
１コマの画像データを移し替えた後は、図８のステップＳ０３に戻り、上述の処理を繰り返す。
【００７４】
図１２は、メモリカードに記録された画像データを示す図である。メモリカード１２０ｂの画像データが全てメモリカード１２０ａに移し替えられている。この実施の形態によれば、データの記録時においては複数のメモリカードをもちいて転送時間の短縮化を図り、その後、空き時間を利用して一方のメモリカードにデータを集約するため、ユーザは容易にデータ管理を行うことができる。
【００７５】
次に、記録メディア３９ａ、３９ｂと画像処理コントローラ４０との間のデータ授受手順について説明する。
【００７６】
図１３は、記録メディア３９ａ、３９ｂと画像処理コントローラ４０との間の信号接続を示す図である。
【００７７】
画像処理コントローラ４０と記録メディア３９ａの通信コネクタ３５ａの間は、アドレス信号（Ａ０００〜Ａ００９）、データ信号（Ｄ０００〜Ｄ０１５）、Ｗｒｉｔｅ信号（ＷＲ０）、Ｗａｉｔ信号（ＷＡＩＴ０）、Ｃｈｉｐ_ｅｎａｂｌｅ信号（ＣＥ０）で接続されている。
【００７８】
アドレス信号（Ａ０００〜Ａ００９）は、画像処理コントローラ４０が記録メディア３９ａに対して画像データを書き込むアドレスを指定するための信号である。データ信号（Ｄ０００〜Ｄ０１５）は、画像処理コントローラ４０が記録メディア３９ａに対して転送するデータを表わす信号である。
【００７９】
Ｗｒｉｔｅ信号（ＷＲ０）は、画像処理コントローラ４０が記録メディア３９ａに対してデータを読込むタイミングを指定する信号である。Ｗａｉｔ信号（ＷＡＩＴ０）は、記録メディア３９ａが画像処理コントローラ４０に対してデータの転送を一時停止するように求める信号である。Ｃｈｉｐ_ｅｎａｂｌｅ信号（ＣＥ０）は、画像処理コントローラ４０が記録メディア３９ａに対してデータの転送先として選ばれていることを示す信号である。
【００８０】
同様に、画像処理コントローラ４０と記録メディア３９ｂの通信コネクタ３５ｂの間は、アドレス信号（Ａ１００〜Ａ１０９）、データ信号（Ｄ１００〜Ｄ１１５）、Ｗｒｉｔｅ信号（ＷＲ１）、Ｗａｉｔ信号（ＷＡＩＴ１）、Ｃｈｉｐ_ｅｎａｂｌｅ信号（ＣＥ１）で接続されている。これらの信号の内容は、上述の通信コネクタ３５ａの間の信号と同じであるため詳細の説明は省略する。
【００８１】
図１４は、画像処理コントローラ４０での記録メディア３９ａとのデータ授受手順を示すフロー図であり、図１５は、画像処理コントローラ４０と記録メディア３９ａとのデータ授受信号のタイムチャートを表わす図である。図１４、図１５を参照しつつデータ授受動作を説明する。
【００８２】
画像処理コントローラ４０は、Ｃｈｉｐ_ｅｎａｂｌｅ信号（ＣＥ０）を「Ｈ」レベルにして記録メディア３９ａに対してデータ転送を行うことを通知する（ステップＲ０１）。記録メディア３９ａは、データの受け入れのための準備を行う。
【００８３】
次に、画像処理コントローラ４０は、画像データを書き込むアドレス（Ａ０００〜Ａ００９）をアドレス用ポートに出力する（ステップＲ０２）。ここで、画像データを書き込むアドレス情報は、このデータ授受動作の開始に先立って行われる通信（不図示）によって、画像処理コントローラ４０が把握している。
【００８４】
次に、画像処理コントローラ４０は、転送する画像データを複数に分割し、その分割したそれぞれのデータを１回の送信単位として、送信を繰り返して画像データを記録メディア３９ａに転送する
画像処理コントローラ４０は、最初のデータ（Ｄ０００〜Ｄ０１５）をデータ用ポートに出力し、出力が安定したタイミングでＷｒｉｔｅ信号（ＷＲ０）をパルス状に出力する（ステップＲ０３、Ｒ０４）。ここで、パルス幅である時間ｔ１と、パルス周期であるｔ２は、記録メディア３９ａの種類によって異なる最適な値である。記録メディア３９ａは、Ｗｒｉｔｅ信号（ＷＲ０）が入力されたタイミングで設定されているデータ（Ｄ０００〜Ｄ０１５）を読込む。
【００８５】
この処理を所定回数繰り返し（ステップＲ０５）、第１回の送信単位のデータ送信を行う。従って、所定回数が３２回であるとすると、１６ビット×３２＝５１２ビット、即ち６４バイトが１回の送信で送られる画像データ量となる。
【００８６】
１回の送信単位のデータを受信した記録メディア３９ａは、データメモリ１２０ａの指定されたアドレス（Ａ０００〜Ａ００９）から受信したデータの書込みを開始し、それとともにＷａｉｔ信号（ＷＡＩＴ０）を「Ｈ」レベルとする。
【００８７】
画像処理コントローラ４０は、Ｗａｉｔ信号（ＷＡＩＴ０）が「Ｌ」レベルとなるまで、データの転送を一時停止する（ステップＲ０６）。そして、Ｗａｉｔ信号（ＷＡＩＴ０）が「Ｌ」レベルになったときは、次に書き込むべきアドレス（Ａ０００〜Ａ００９）を計算してアドレスポートに出力し、次回の送信単位のデータの送信を開始する（ステップＲ０２〜Ｒ０５）。
【００８８】
以上の送信手順を繰り返して、画像データを全て出力したときは（ステップＲ０７）、Ｃｈｉｐ_ｅｎａｂｌｅ信号（ＣＥ０）を「Ｌ」レベルにして記録メディア３９ａに対してデータ転送が終了したことを通知する（ステップＲ０８）。画像処理コントローラ４０は、記録メディア３９ｂに対しても同様の手順で画像データの送信を実施する。
【００８９】
この実施の形態によれば、画像処理コントローラ４０は、記録メディア３９ａと記録メディア３９ｂに対しておのおの独立にデータを送信できるため、データ転送時間を短縮化することができる。
【００９０】
［第２の実施の形態］
第２の実施の形態では、画像処理コントローラ４０と記録メディア３９ａ、３９ｂとの信号接続形態と信号授受手順のみが第１の実施の形態と異なっている。従って、第１の実施の形態と同一の部位には同一の符号を付してその詳細の説明は省略する。
【００９１】
図１６は、記録メディア３９ａ、３９ｂと画像処理コントローラ４０との間の信号接続を示す図である。
【００９２】
第２の実施の形態では、画像処理コントローラ４０の出力ポートにアドレス信号（Ａ００〜Ａ０９）とデータ信号（Ｄ００〜Ｄ１５）を１系統のみ設け、さらに、データ信号の一部（Ｄ００〜Ｄ１０）とアドレス信号（Ａ００〜Ａ０９）を共有して、出力ポートの数を減少させている。
【００９３】
そして、アドレス信号（Ａ００〜Ａ０９）とデータ信号（Ｄ００〜Ｄ１５）について、記録メディア３９ａ、３９ｂとのインターフェースをとるため、アドレス信号用ラッチ回路１４１ａ、１４１ｂとデータ信号用ラッチ回路１４２ａ、１４２ｂを新たに備え、画像処理コントローラ４０の出力ポートにアドレス用ラッチ信号（ＬＡＴＣＨ＿Ａ０、ＬＡＴＣＨ＿Ａ１）及びデータ用ラッチ信号（ＬＡＴＣＨ＿Ｄ０、ＬＡＴＣＨ＿Ｄ１）を設けている。
【００９４】
図１７は、ラッチ回路の動作を説明する図である。図１７の（１）は、ラッチ回路の内部の構成を示し、図１７の（２）は、ラッチ回路に用いられているラッチ回路の一部１４４の入出力動作の真理値表を示している。
【００９５】
図１７の（１）において、Ｄ０、Ｄ１、…は入力データを表わし、Ｑ０、Ｑ１、…は出力データを表わしている。そして、ＣＫはラッチ信号、ＯＥ＊はアウトプットイネーブル信号である。なお、アウトプットイネーブル信号は、図ではＯＥの上部にバーを付して表記しているが、以下、明細書中ではＯＥ＊と記載する。
【００９６】
図１７の（２）の真理値表によれば、アウトプットイネーブル信号（ＯＥ＊）が、「Ｈ」レベルのときは、出力データ（Ｑ０）は高インピーダンス状態で固定される。すなわち、ラッチ回路１４４の出力値は常にリセットされた状態となる。
【００９７】
一方、アウトプットイネーブル信号（ＯＥ＊）が、「Ｌ」レベルのときで、ラッチ信号（ＣＫ）が「Ｌ」から「Ｈ」に変化したときは、入力データ（Ｄ０）の状態が出力データ（Ｑ０）に設定される。
【００９８】
そして、アウトプットイネーブル信号（ＯＥ＊）が、「Ｌ」レベルのときで、ラッチ信号（ＣＫ）が「Ｈ」から「Ｌ」に変化したときは、出力データ（Ｑ０）は、その状態を保持し続ける。すなわち、出力データはラッチされた状態となる。
【００９９】
図１８は、画像処理コントローラ４０と記録メディア３９ａ、３９ｂとのデータ授受信号のタイムチャートを表わす図である。
【０１００】
画像処理コントローラ４０は、Ｃｈｉｐ＿Ｅｎａｂｌｅ信号（ＣＥ０、ＣＥ１）を「Ｈ」レベルにして記録メディア３９ａ、３９ｂに対してデータ転送を行うことを通知する。記録メディア３９ａ、３９ｂは、データの受け入れのための準備を行う。
【０１０１】
次に、画像処理コントローラ４０は、記録メディア３９ａの画像データを書き込むアドレス（Ａ００〜Ａ０９）をアドレス用ポートに出力する。ここで、画像データを書き込むアドレス情報は、このデータ授受動作の開始に先立って行われる通信（不図示）によって、画像処理コントローラ４０が把握している。
【０１０２】
そして、画像処理コントローラ４０は、アドレス用ラッチ信号（ＬＡＴＣＨ＿Ａ０）をパルス状に出力する。上述のように、アドレス用ラッチ信号（ＬＡＴＣＨ＿Ａ０）が「Ｈ」から「Ｌ」に変化するタイミングでラッチ回路１４１ａの出力は保持され、記録メディア３９ａにアドレスが設定される。
【０１０３】
そこで、画像処理コントローラ４０は、記録メディア３９ｂの画像データを書き込むアドレス（Ａ００〜Ａ０９）をアドレス用ポートに出力する。そして、画像処理コントローラ４０は、アドレス用ラッチ信号（ＬＡＴＣＨ＿Ａ１）をパルス状に出力する。上述のように、アドレス用ラッチ信号（ＬＡＴＣＨ＿Ａ１）が「Ｈ」から「Ｌ」に変化するタイミングでラッチ回路１４１ｂの出力は保持され、記録メディア３９ｂにアドレスが設定される。
【０１０４】
次に、画像処理コントローラ４０は、転送する画像データを複数に分割し、その分割したそれぞれのデータを１回の送信単位として、その送信を繰り返して画像データを記録メディア３９ａと記録メディア３９ｂに転送する
画像処理コントローラ４０は、記録メディア３９ａに転送する最初のデータをデータ用ポート（Ｄ００〜Ｄ１５）に出力し、データ用ラッチ信号（ＬＡＴＣＨ＿Ｄ０）をパルス状に出力する。上述のように、データ用ラッチ信号（ＬＡＴＣＨ＿Ｄ０）が「Ｈ」から「Ｌ」に変化するタイミングでラッチ回路１４２ａの出力は保持され、記録メディア３９ａにデータが設定される。画像処理コントローラ４０は、出力が安定したタイミングでＷｒｉｔｅ信号（ＷＲ０）をパルス状に出力する。記録メディア３９ａは、Ｗｒｉｔｅ信号（ＷＲ０）が入力されたタイミングで設定されているデータ（Ｄ０００〜Ｄ０１５）を読込む。
【０１０５】
画像処理コントローラ４０は、記録メディア３９ｂに転送する最初のデータをデータ用ポート（Ｄ００〜Ｄ１５）に出力し、データ用ラッチ信号（ＬＡＴＣＨ＿Ｄ１）をパルス状に出力する。上述のように、データ用ラッチ信号（ＬＡＴＣＨ＿Ｄ１）が「Ｈ」から「Ｌ」に変化するタイミングでラッチ回路１４２ｂの出力は保持され、記録メディア３９ｂにデータが設定される。画像処理コントローラ４０は、出力が安定したタイミングでＷｒｉｔｅ信号（ＷＲ１）をパルス状に出力する。記録メディア３９ｂは、Ｗｒｉｔｅ信号（ＷＲ１）が入力されたタイミングで設定されているデータ（Ｄ０００〜Ｄ０１５）を読込む。
【０１０６】
この処理を所定回数繰り返して、記録メディア３９ａ、３９ｂに対して第１回の送信単位のデータ送信を行う。１回の送信単位のデータを受信した記録メディア３９ａ、３９ｂは、それぞれデータメモリ１２０ａ、１２０ｂの指定されたアドレス（Ａ０００〜Ａ００９、Ａ１００〜Ａ１０９）から受信したデータの書込みを開始し、それとともにＷａｉｔ信号（ＷＡＩＴ０、ＷＡＩＴ１）を「Ｈ」レベルとする。
【０１０７】
画像処理コントローラ４０は、Ｗａｉｔ信号（ＷＡＩＴ０、ＷＡＩＴ１）が「Ｌ」レベルとなるまで、データの転送を一時停止する。そして、Ｗａｉｔ信号（ＷＡＩＴ０、ＷＡＩＴ１）が「Ｌ」レベルになったときは、次に書き込むべきアドレス（Ａ０００〜Ａ００９）を計算してアドレスポートに出力し、次回の送信単位のデータの送信を開始する。
【０１０８】
以上の送信手順を繰り返して、画像データを全て出力したときは、Ｃｈｉｐ_ｅｎａｂｌｅ信号（ＣＥ０、ＣＥ１）を「Ｌ」レベルにして記録メディア３９ａ、３９ｂに対してデータ転送が終了したことを通知する。
【０１０９】
第２の実施の形態によれば、第１の実施の形態の効果に加え、画像処理コントローラ４０の出力ポートの数を減少することができる。
【０１１０】
［第３の実施の形態］
第３の実施の形態では、画像処理コントローラ４０とデータ用ラッチ回路１４２ａとの信号接続形態と信号授受手順のみが第２の実施の形態と異なっている。従って、第２の実施の形態と同一の部位には同一の符号を付してその詳細の説明は省略する。
【０１１１】
図１９は、画像処理コントローラ４０とデータ用ラッチ回路１４２ａの一部のラッチ回路１４５との間の信号接続を示す図である。第３の実施の形態では、画像処理コントローラ４０がアウトプットイネーブル信号（ＯＥ＊）の「Ｈ」、「Ｌ」レベルを制御して、データをラッチして出力するか、ラッチせずに出力するかを切り換えることを可能にしている。
【０１１２】
すなわち、アウトプットイネーブル信号（ＯＥ＊）が「Ｌ」レベルのときは、第２の実施の形態の図１７に示す回路で説明したように、一部のラッチ回路１４５の出力データはラッチ信号（ＬＡＴＣＨ）によって保持された信号が出力される。
【０１１３】
一方、アウトプットイネーブル信号（ＯＥ＊）が「Ｈ」レベルのときは、第２の実施の形態の図１７に示す回路で説明したように、一部のラッチ回路１４５の出力データはリセットされる。このとき、一部のラッチ回路１４５以外の回路からのデータ信号はアウトプットイネーブル信号（ＯＥ＊）によって出力される。
【０１１４】
このラッチ回路を用いれば、記録メディアが複数ある場合には第２の実施の形態と同様にデータを転送し、記録メディアが１つの場合にはデータをラッチする必要がないためラッチ信号を用いずにＷｒｉｔｅ信号（ＷＲ０）のみを用いてデータを転送することができる。
【０１１５】
すなわち、図２０に示すように、記録メディアが１つの場合はアウトプットイネーブル信号（ＯＥ＊）を「Ｈ」レベルとし、記録メディアが複数の場合はアウトプットイネーブル信号（ＯＥ＊）を「Ｌ」レベルとすることで上述の動作を実現することができる。
【０１１６】
即ち、アウトプットイネーブル信号（ＯＥ＊）をコントロールすることで、複数の記録メディアの装填を検出したときはラッチ回路１４５を作動状態とし、一方、一枚の記録メディアの装填を検出したときはラッチ回路１４５を非作動状態とする。これにより、記録メディアが１枚の場合にはラッチ信号（ＬＡＴＣＨ）を出力する必要がなくなり、省電力を実現することができる。
【０１１７】
なお、記録メディアがスロットに装填されている場合は、そのスロットに接続するラッチ回路１４５をアウトプットイネーブル信号（ＯＥ＊）をコントロールすることで作動状態とし、記録メディアがスロットに装填されていない場合は、そのスロットに接続するラッチ回路１４５をアウトプットイネーブル信号（ＯＥ＊）をコントロールすることで非作動状態としても良い。これにより、装填された記録メディアについてのみラッチ信号（ＬＡＴＣＨ）を出力すれば良いため、省電力を実現することができる。
【０１１８】
図２１は、画像処理コントローラ４０が記録メディア３９ａとのみデータ授受を行う際の信号のタイムチャートを表わす図である。すなわち、１つの記録メディアとの間でのデータ授受動作を表わしている。
【０１１９】
画像処理コントローラ４０は、Ｃｈｉｐ＿Ｅｎａｂｌｅ信号（ＣＥ０）を「Ｈ」レベルにして記録メディア３９ａに対してデータ転送を行うことを通知する。記録メディア３９ａは、データの受け入れのための準備を行う。
【０１２０】
次に、画像処理コントローラ４０は、記録メディア３９ａの画像データを書き込むアドレス（Ａ００〜Ａ０９）をアドレス用ポートに出力する。ここで、画像データを書き込むアドレス情報は、このデータ授受動作の開始に先立って行われる通信（不図示）によって、画像処理コントローラ４０が把握している。
【０１２１】
そして、画像処理コントローラ４０は、アドレス用ラッチ信号（ＬＡＴＣＨ＿Ａ０）をパルス状に出力する。上述のように、アドレス用ラッチ信号（ＬＡＴＣＨ＿Ａ０）が「Ｈ」から「Ｌ」に変化するタイミングでラッチ回路１４１ａの出力は保持され、記録メディア３９ａにアドレスが設定される。
【０１２２】
次に、画像処理コントローラ４０は、転送する画像データを複数に分割し、その分割したそれぞれのデータを１回の送信単位として、その送信を繰り返して画像データを記録メディア３９ａに転送する
そこで、画像処理コントローラ４０は、アウトプットイネーブル信号（ＯＥ＊）を「Ｈ」レベルとする。これによって、図１９に示す回路で説明したように、データはラッチ回路をスルーして記録メディア３９ａに出力される。
【０１２３】
画像処理コントローラ４０は、記録メディア３９ａに転送する最初のデータをデータ用ポート（Ｄ００〜Ｄ１５）に出力し、出力が安定したタイミングでＷｒｉｔｅ信号（ＷＲ０）をパルス状に出力する。記録メディア３９ａは、Ｗｒｉｔｅ信号（ＷＲ０）が入力されたタイミングで設定されているデータ（Ｄ０００〜Ｄ０１５）を読込む。
【０１２４】
この処理を所定回数繰り返して、記録メディア３９ａに対して第１回の送信単位のデータ送信を行う。１回の送信単位のデータを受信した記録メディア３９ａは、それぞれデータメモリ１２０ａの指定されたアドレス（Ａ０００〜Ａ００９）から受信したデータの書込みを開始し、それとともにＷａｉｔ信号（ＷＡＩＴ０）を「Ｈ」レベルとする。
【０１２５】
以下、第１、第２の実施の形態で説明した動作と同様の動作を実行する。すなわち、画像処理コントローラ４０は、Ｗａｉｔ信号（ＷＡＩＴ０）が「Ｌ」レベルとなるまで、データの転送を一時停止する。そして、Ｗａｉｔ信号（ＷＡＩＴ０）が「Ｌ」レベルになったときは、次に書き込むべきアドレス（Ａ０００〜Ａ００９）を計算してアドレスポートに出力し、次回の送信単位のデータの送信を開始する。以上の送信手順を繰り返して、画像データを全て出力したときは、Ｃｈｉｐ_ｅｎａｂｌｅ信号（ＣＥ０、ＣＥ１）を「Ｌ」レベルにして記録メディア３９ａに対してデータ転送が終了したことを通知する。
【０１２６】
第３の実施の形態によれば、第２の実施の形態の効果に加えて、記録メディアの数に対応して無駄なエネルギーのロスを減らすことができる。
【０１２７】
［第４の実施の形態］
第４の実施の形態では、画像処理コントローラ４０と記録メディア３９ａ、３９ｂとの信号接続形態と信号授受手順のみが第２の実施の形態と異なっている。従って、第２の実施の形態と同一の部位には同一の符号を付してその詳細の説明は省略する。
【０１２８】
図２２は、記録メディア３９ａ、３９ｂと画像処理コントローラ４０との間の信号接続を示す図である。
【０１２９】
第４の実施の形態では、画像処理コントローラ４０の出力ポートにアドレス信号（Ａ００〜Ａ０９）とデータ信号（Ｄ００〜Ｄ１５）を１系統のみ設け、さらに、データ信号の一部（Ｄ００〜Ｄ１０）とアドレス信号（Ａ００〜Ａ０９）を共有して、出力ポートの数を減少させている。
【０１３０】
そして、アドレス信号（Ａ００〜Ａ０９）について、記録メディア３９ａ、３９ｂとのインターフェースをとるため、アドレス信号用ラッチ回路１４１ａ、１４１ｂを備え、画像処理コントローラ４０の出力ポートにアドレス用ラッチ信号（ＬＡＴＣＨ０、ＬＡＴＣＨ１）を設けている。
【０１３１】
一方、データ信号（Ｄ００〜Ｄ１５）はラッチ回路を介さずに直接記録メディア３９ａ、３９ｂと共通の信号線で接続している。
【０１３２】
図２３は、画像処理コントローラ４０と記録メディア３９ａ、３９ｂとのデータ授受信号のタイムチャートを表わす図である。
【０１３３】
画像処理コントローラ４０は、Ｃｈｉｐ＿Ｅｎａｂｌｅ信号（ＣＥ０、ＣＥ１）を「Ｈ」レベルにして記録メディア３９ａ、３９ｂに対してデータ転送を行うことを通知する。記録メディア３９ａ、３９ｂは、データの受け入れのための準備を行う。
【０１３４】
次に、画像処理コントローラ４０は、記録メディア３９ａの画像データを書き込むアドレス（Ａ００〜Ａ０９）をアドレス用ポートに出力する。ここで、画像データを書き込むアドレス情報は、このデータ授受動作の開始に先立って行われる通信（不図示）によって、画像処理コントローラ４０が把握している。
【０１３５】
そして、画像処理コントローラ４０は、アドレス用ラッチ信号（ＬＡＴＣＨ０）をパルス状に出力する。上述のように、アドレス用ラッチ信号（ＬＡＴＣＨ０）が「Ｈ」から「Ｌ」に変化するタイミングでラッチ回路１４１ａの出力は保持され、記録メディア３９ａにアドレスが設定される。
【０１３６】
続いて、画像処理コントローラ４０は、記録メディア３９ｂの画像データを書き込むアドレス（Ａ００〜Ａ０９）をアドレス用ポートに出力する。そして、画像処理コントローラ４０は、アドレス用ラッチ信号（ＬＡＴＣＨ１）をパルス状に出力する。上述のように、アドレス用ラッチ信号（ＬＡＴＣＨ１）が「Ｈ」から「Ｌ」に変化するタイミングでラッチ回路１４１ｂの出力は保持され、記録メディア３９ｂにアドレスが設定される。
【０１３７】
次に、画像処理コントローラ４０は、転送する画像データを複数に分割し、その分割したそれぞれのデータを１回の送信単位として、その送信を繰り返して画像データを記録メディアに転送する。
【０１３８】
画像処理コントローラ４０は、記録メディア３９ａに転送する最初のデータをデータ用ポート（Ｄ００〜Ｄ１５）に出力し、出力が安定したタイミングでＷｒｉｔｅ信号（ＷＲ０）をパルス状に出力する。記録メディア３９ａは、Ｗｒｉｔｅ信号（ＷＲ０）が入力されたタイミングで設定されているデータ（Ｄ０００〜Ｄ０１５）を読込む。
【０１３９】
次に画像処理コントローラ４０は、記録メディア３９ｂに転送する最初のデータをデータ用ポート（Ｄ００〜Ｄ１５）に出力し、出力が安定したタイミングでＷｒｉｔｅ信号（ＷＲ１）をパルス状に出力する。記録メディア３９ｂは、Ｗｒｉｔｅ信号（ＷＲ１）が入力されたタイミングで設定されているデータ（Ｄ１００〜Ｄ１１５）を読込む。
【０１４０】
以上の処理を所定回数繰り返して、記録メディア３９ａ、３９ｂに対して第１回の送信単位のデータ送信を行う。１回の送信単位のデータを受信した記録メディア３９ａ、３９ｂは、それぞれデータメモリ１２０ａ、１２０ｂの指定されたアドレス（Ａ０００〜Ａ００９、Ａ１００〜Ａ１０９）から受信したデータの書込みを開始し、それとともにＷａｉｔ信号（ＷＡＩＴ０、ＷＡＩＴ１）を「Ｈ」レベルとする。
【０１４１】
画像処理コントローラ４０は、Ｗａｉｔ信号（ＷＡＩＴ０、ＷＡＩＴ１）が「Ｌ」レベルとなるまで、データの転送を一時停止する。そして、Ｗａｉｔ信号（ＷＡＩＴ０、ＷＡＩＴ１）が「Ｌ」レベルになったときは、次に書き込むべきアドレス（Ａ００〜Ａ０９）を計算してアドレスポートに出力し、次回の送信単位のデータの送信を開始する。
【０１４２】
以上の送信手順を繰り返して、画像データを全て出力したときは、Ｃｈｉｐ_ｅｎａｂｌｅ信号（ＣＥ０、ＣＥ１）を「Ｌ」レベルにして記録メディア３９ａ、３９ｂに対してデータ転送が終了したことを通知する。
【０１４３】
第４の実施の形態によれば、第２の実施の形態の効果に加え、更に回路構成を簡単にすることができる。
【０１４４】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【０１４５】
【図１】本発明の第１の実施の形態のデータ記録装置が適用されるデジタルカメラを示す斜視図。
【図２】グリップ部のカードカバーを開いて斜め後方から見た斜視図。
【図３】デジタルカメラのシステム構成。
【図４】メモリカードをアダプタに装備する方法を示す図。
【図５】メモリカードを装備したアダプタの背面を示す図。
【図６】メモリカードに記録された画像データを示す図。
【図７】メモリカードリーダを示す図。
【図８】画像データの転送、記録動作を示す概略のフロー図。
【図９】画像データの転送、記録動作を示す概略のフロー図。
【図１０】画像データの転送、記録動作を示す概略のフロー図。
【図１１】画像データの転送、記録動作を示す概略のフロー図。
【図１２】メモリカードに記録された画像データを示す図。
【図１３】記録メディアと画像処理コントローラとの間の信号接続を示す図。
【図１４】画像処理コントローラでの記録メディアとのデータ授受手順を示すフロー図。
【図１５】画像処理コントローラと記録メディアとのデータ授受信号のタイムチャートを表わす図。
【図１６】記録メディアと画像処理コントローラとの間の信号接続を示す図。
【図１７】ラッチ回路の動作を説明する図。
【図１８】画像処理コントローラと記録メディアとのデータ授受信号のタイムチャートを表わす図。
【図１９】画像処理コントローラとデータ用ラッチ回路の一部のラッチ回路との間の信号接続を示す図。
【図２０】データ出力動作を示すフロー図。
【図２１】画像処理コントローラが記録メディアとのみデータ授受を行う際の信号のタイムチャートを表わす図。
【図２２】記録メディアと画像処理コントローラとの間の信号接続を示す図。
【図２３】画像処理コントローラと記録メディアとのデータ授受信号のタイムチャートを表わす図。
【符号の説明】
【０１４６】
３５…通信コネクタ、３９…記録メディア、４０…画像処理コントローラ、１００…ボディユニット、１１１…カードカバー、１１８…パック状態検出ＳＷ、１２０…メモリカード、１２５…アダプタ、１２９…ラベル、１３５…カードリーダ、１４１…ラッチ回路、１４２…ラッチ回路、１４４…ラッチ回路、１４５…ラッチ回路。
【図１】
2005311439.tif 000003
【図２】
2005311439.tif 000004
【図３】
2005311439.tif 000005
【図４】
2005311439.tif 000006
【図５】
2005311439.tif 000007
【図６】
2005311439.tif 000008
【図７】
2005311439.tif 000009
【図８】
2005311439.tif 000010
【図９】
2005311439.tif 000011
【図１０】
2005311439.tif 000012
【図１１】
2005311439.tif 000013
【図１２】
2005311439.tif 000014
【図１３】
2005311439.tif 000015
【図１４】
2005311439.tif 000016
【図１５】
2005311439.tif 000017
【図１６】
2005311439.tif 000018
【図１７】
2005311439.tif 000019
【図１８】
2005311439.tif 000020
【図１９】
2005311439.tif 000021
【図２０】
2005311439.tif 000022
【図２１】
2005311439.tif 000023
【図２２】
2005311439.tif 000024
【図２３】
2005311439.tif 000025